(57)【特許請求の範囲】
【請求項１】
巻芯を緊締する拡縮部材（ラグ）を備えたシャフトに同軸で前記巻芯の端部に装着される鍔であって、
前記拡縮部材に干渉せずに前記シャフトを貫通させることが可能な孔部が設けられ、前記シャフトと同軸になるよう前記シャフトの外周面に部分的に勘合する板状部材と、
前記シャフトの外周面と前記巻芯の円筒内周面との間に弾性的に介挿する複数の取付足と、
を有することを特徴とする鍔。
【請求項２】
前記複数の取付足のそれぞれは、該鍔が前記シャフトに緊締された巻芯の端部に装着されたときに該取付足の先端側および根元側が曲げＲの面で前記シャフトの外周面に接するように形成され且つ該取付足の中央部が前記曲げＲの曲げ半径より大きな曲げＲの面で前記巻芯の円筒内周面に接するように形成された板バネであり、前記シャフトと前記巻芯との間隙に収装可能に構成されていることを特徴とする請求項１に記載の鍔。
【請求項３】
被記録媒体に印刷を行う印刷ユニットと、該印刷ユニットに被記録媒体を供給する供給ユニットと、前記印刷ユニットにより印刷されて排出される被記録媒体を巻き取る巻取ユニットと、を備え、
前記巻取ユニットのシャフトに拡縮部材により緊締された巻芯の端部に、請求項１又は２に記載の鍔が装着されている、ことを特徴とする印刷システム。
【請求項４】
前記孔部の内周に根元を固定され該根元から突き込み方向に谷曲げ山曲げの複数の曲げ部を形成されて延び出す前記複数の取付足と、
該取付足の前記根元と前記根元の中間部において前記孔部の内周に形成された切り欠き部と、
を有することを特徴とする請求項１に記載の鍔。
【請求項５】
駆動軸に片持支持された円筒状のシャフトと、
該シャフトの円周面に、軸方向に長く円周方向に幅狭で形成された複数の長孔と、
該長孔に嵌入し、前記シャフトの外内方向に進退可能な拡縮部材と、
を有し、
前記拡縮部材の進出により前記シャフトに外嵌した巻芯の内周面を押圧し、前記シャフトの外周面と前記巻芯の内周面との間に間隙を形成して前記巻芯を前記シャフトに固定する巻芯保持部において、
前記シャフトの前記外周面に進出し前記巻芯の端部からはみ出して露出する前記拡縮部材との接触を前記切り欠き部により逃げながら、前記孔部の内周を前記シャフトの外周に外嵌させ前記孔部の内周縁部内面を前記巻芯の端面に当接させ且つ前記取付足を前記間隙に突き込んで、前記取付足の前記複数の曲げ部と前記シャフトの外周と前記巻芯の内周との間の摩擦力により前記巻芯の両端部に固定され、前記巻芯に巻き取られる巻取りロール紙の幅方向の両縁を段差の出来ないように揃えるよう規制する、
ことを特徴とする請求項４に記載の鍔。
【発明の詳細な説明】
【技術分野】
【０００１】
本発明は、ロール紙幅規制鍔及びそれを有する印刷システムに関する。
【背景技術】
【０００２】
従来、デパートなどの売場に陳列される商品には、店員が、剥離紙から一枚ごと引き剥がした商品名、産地、有効期限、単価等が予め印刷されている裏糊付きのラベルが貼られている。
【０００３】
このようなラベルの作成には、少量多品種、オンデマンドに対応できるようなラベル印刷システムが要望されている。また、ラベル印刷システムに対応するには、印刷部にはインクジェット印刷装置、３色の感熱発色層用紙を用いる熱ヘッド式印刷装置、又は電子写真式画像形成装置を用い、印刷物原資には連続するロール紙（被記録媒体）を用いることが考えられている。
【０００４】
連続するロール紙においては、多くの場合印刷後に後工程が必要であり、ロール紙の幅方向への位置ズレが生じないように、印刷済みのロール紙を巻き取り軸の巻芯に巻き取る際、ロール紙の幅方向の両端（両縁）を段差の出来ないように揃え、且つ隙間なく固く確実に巻き上げることが極めて重要である。
【０００５】
例えば、Ａ４判サイズとレターサイズのように幅の異なる２種類のロール紙を取り扱う場合に、幅の大きいレターサイズのロール紙の場合は、予めレターサイズの幅に合わせたロール紙ボックスにそのまま設定し、Ａ４判サイズのロール紙の場合はスペーサを使用する方法が提案されている。（例えば、特許文献１参照。）
【先行技術文献】
【特許文献】
【０００６】
【特許文献１】特開平０７−２２３７５９号公報
【発明の概要】
【発明が解決しようとする課題】
【０００７】
しかしながら、特許文献１に記載の技術は、ロール紙を収容するロール紙ボックス内にロール紙を位置決めするものであり、空中に在って巻芯を支持するシャフトがシャフト駆動部に片持ちされている構成のロール紙収容方式の場合に、巻芯とシャフトと鍔状スペーサの組み付けをどのようにするかについては全く不明である。
【０００８】
本発明は、上記従来の課題を解決するものであって、ロール紙の幅を規制する鍔（つば）及びそれを有する印刷システムを提供することを目的とする。
【課題を解決するための手段】
【０００９】
上記の目標を達成するために、請求項１に記載の発明に係る鍔は、巻芯を緊締する拡縮部材（ラグ）を備えたシャフトに同軸で前記巻芯の端部に装着される鍔であって、前記拡縮部材に干渉せずに前記シャフトを貫通させることが可能な孔部が設けられ、前記シャフトと同軸になるよう前記シャフトの外周面に部分的に勘合する板状部材と、前記シャフトの外周面と前記巻芯の円筒内周面との間に弾性的に介挿する複数の取付足と、を有することを特徴とする。
【００１０】
上記の目標を達成するために、請求項３に記載の発明に係る印刷システムは、被記録媒体に印刷を行う印刷ユニットと、該印刷ユニットに被記録媒体を供給する供給ユニットと、前記印刷ユニットにより印刷されて排出される被記録媒体を巻き取る巻取ユニットと、を備え、前記巻取ユニットのシャフトに拡縮部材により緊締された巻芯の端部に、請求項１又は２に記載の鍔が装着されている、ことを特徴とする。
さらにまた、上記の目標を達成するために、請求項４に記載の発明に係る鍔は、孔部の内周に根元を固定され該根元から突き込み方向に谷曲げ山曲げの複数の曲げ部を形成されて延び出す複数の取付足と、該取付足の前記根元と前記根元の中間部において前記孔部の内周に形成された切り欠き部と、を有することを特徴とする。
【発明の効果】
【００１１】
本発明は、ロール紙の幅を規制する鍔（つば）を容易に装着可能とする。
【図面の簡単な説明】
【００１２】
【図１】本発明の実施例１に係る印刷システムの全体構成を示す断面図である。
【図２】(a)は印刷システムの全体構成の外観斜視図であり、ロール紙が印刷ユニットに供給される前の状態を示す図、(b)はロール紙の巻取り開始先端部が印刷ユニットに通紙され巻芯に固定された状態を示す図である。
【図３】(a)は巻芯保持部の外観斜視図、(b)は巻芯保持部のシャフトに設定される直前の巻芯とその両端部に設定される鍔（輪円体）を巻芯保持部と共に示す図である。
【図４】(a)はシャフトへの２個の鍔と巻芯の嵌め込み順を示す側面図、(b)は鍔の詳細な構成を巻芯と共に示す図、(c)は(a)のＢ−Ｂ´矢視図である。
【図５】(a)はシャフトに対する鍔と巻芯の外嵌と固定が完了した状態の巻芯保持部の側断面図、(b)はシャフトを取り除いて内部の構成を示す斜視図、(c)はシャフトを仮想線で添えて示す側面図である。
【図６】(a)はシャフトの周面に対し拡縮部材（ラグ）が面一に縮退した状態の巻芯保持部を示す斜視図、(b)はシャフトを取り除いて内部の構成を示す斜視図、(c)はシャフトを仮想線で添えて示す側面図である。
【図７】(a),(b)は巻芯保持部の構成における拡縮部材の変形例を示す図である。
【発明を実施するための形態】
【００１３】
以下、本発明の実施の形態について、図面を参照しながら詳細に説明する。なお、以下の説明において、印字と印刷は同義に用いられている。
［実施例１］
【００１４】
図１は、本発明の実施例１に係る印刷システムの全体構成を示す断面図である。図１に示すように、印刷システム１は、印刷ユニット２、供給ユニット３、及び巻取ユニット４を備えている。
【００１５】
印刷ユニット２は、枚葉紙に印刷するページプリンタとして単体で使用することが可能な卓上型の印刷装置である。先ず、印刷ユニット２について説明する。
【００１６】
図１に示す印刷ユニット２は、電子写真式で中間転写方式のタンデム型のカラー印刷装置であり、画像形成部５、転写ベルトユニット６、トナー供給部７、給紙部８、及びベルト式定着ユニット９で構成されている。しかしながら、本発明は、中間転写方式に限らず、例えば、用紙に直接トナー像を転写する方式など、他の転写方式にも適用できるものである。また、給紙部８にロール紙を用いているが、本発明は給紙方法を限定するものではなく、ファンフォールド紙（連続帳票）等を給紙する構成でも良い。
【００１７】
画像形成部５は、転写ベルトユニット６の転写ベルト１１の下部走行面１１ａに接して同図の右から左へ４個の現像装置１２（１２ｋ、１２ｃ、１２ｍ、１２ｙ）を多段式に並設して構成される。
【００１８】
４個の現像装置１２のうち上流側（図の左側）の３個の現像装置１２ｃ、１２ｍ及び１２ｙは、それぞれ減法混色の三原色であるシアン（Ｃ）、マゼンタ（Ｍ）、イエロー（Ｙ）の色トナーによるカラー画像を形成し、現像装置１２ｋは、主として文字や画像の暗黒部分等に用いられるブラック（Ｋ）トナーによるモノクロ画像を形成する。
【００１９】
上記の各現像装置１２は、画像を現像するトナーの色を除き全て同じ構成である。したがって、以下、イエロー（Ｙ）のトナー用の現像装置１２ｙを例にしてその構成を説明する。
【００２０】
現像装置１２は、最上部に感光体ドラム１３を備えている。この感光体ドラム１３は、その周面が例えば有機光導電性材料で構成されている。この感光体ドラム１３の周面に接して又は近傍を取り巻いて、クリーナ１４、帯電ローラ１５、光書込ヘッド１６、及び現像器の現像ローラ１７が配置されている。
【００２１】
現像器は、筐体の内部を隔壁により上下２つの現像槽に仕切られ、上の現像槽に上記の現像ローラ１７と現像トナーを攪拌搬送する上部スクリューが配設され、下の現像槽に補給トナーを攪拌搬送する下スクリューが配設されている。
【００２２】
各現像装置１２の現像器には、転写ベルトユニット６の上方に配置されているトナー供給部７のトナー容器１８から、同図にＫ、Ｃ、Ｍ、Ｙで示すブラック（Ｋ）、シアン（Ｃ）、マゼンタ（Ｍ）、イエロー（Ｙ）のいずれかのトナーが、補給路１９を介して供給される。
【００２３】
補給路１９は、パイプ部材からなり、転写ベルトユニット６の後方（紙面奥行き方向の向う側）を回り込むようにして、現像器の下スクリューが配設されている下の現像槽に連結されている。
【００２４】
転写ベルトユニット６は、本体装置のほぼ中央で図の左右方向に扁平なループ状になって延在する無端状の上述した転写ベルト１１と、この転写ベルト１１を掛け渡されて転写ベルト１１を図の矢印ａで示す反時計回り方向に循環移動させる駆動ローラ２１と従動ローラ２２を備えている。
【００２５】
駆動ローラ２１には、転写ベルト１１を介して二次転写ローラ２３が圧接し、ここに搬送されて来る転写媒体である用紙に対し、転写ベルト１１上の一次転写トナー像を二次転写する二次転写部を形成している。
【００２６】
上記の転写ベルト１１には、一次転写ローラ２４がユニットと一体に組み込まれている。一次転写ローラ２４は、下方を循環移動する転写ベルト１１の下部走行面１１ａにトナー像を直接転写（一次転写）する。転写ベルト１１は、そのトナー像を更に用紙に転写（二次転写）すべく、上記の二次転写部まで搬送する。
【００２７】
また、転写ベルト１１には、従動ローラ２２に掛け渡されている部分に当接するベルトクリーナ２５が配置されている。ベルトクリーナ２５の下方にはベルトクリーナ２５が転写ベルト１１から除去した廃トナーを収容する廃トナー回収容器２６が着脱自在に配置されている。
【００２８】
トナー供給部７は、転写ベルト１１の上部走行面の上方に配置されている前述した４個のトナー容器１８で構成されている。このトナー供給部７は、特には図示しないが、図１に示す印刷実行時位置から、それより上方の保守位置に、昇降可能に印刷ユニット２本体のフレームに保持されている。
【００２９】
このトナー供給部７の左方と上方の二箇所に、それぞれ電装部２７が配設されている。電装部２７には、複数の電子部品からなる制御装置が搭載された回路基板が装着されている。
【００３０】
給紙部８は、１個の給紙カセット２８を備えている。給紙カセット２８には多枚数の枚葉紙２９が不図示の底板の上に載置されて収容されている。この給紙カセット２８の給紙口（図の右方）近傍には、用紙取出ローラ３１、給送ローラ３２、捌きローラ３３、待機搬送ローラ対３４が配置されている。
【００３１】
待機搬送ローラ対３４の用紙搬送方向（図の鉛直上方向）には、前述した二次転写部が形成され、二次転写部の下流（図では上方）側にベルト式定着ユニット９が配置されている。
【００３２】
ベルト式定着ユニット９は、断熱性の筐体３５を有し、内部には、発熱ローラ３６、熱定着ローラ３７、これらの間に掛け渡された定着ベルト３８、押圧ローラ３９を備えている。押圧ローラ３９は、定着ベルト３８を介して熱定着ローラ３７に圧接し、ここに圧力熱定着部を形成している。
【００３３】
筐体３５の下と上には、図では定かに示していないが搬入口と排出口が形成されている。排出口の直下には搬出ローラ対４１が設けられている。排出口の下流側には搬送方向切替装置４２が配置されている。
【００３４】
枚葉紙の用紙２９を用いて印刷を行う場合は、先ず、用紙取出ローラ３１、給送ローラ３２、捌きローラ３３によって給紙カセット２８の最上部の１枚ごとに取り出されて縦搬送路４３に送り出された用紙２９は、待機搬送ローラ対３４の挟持部に先端を当接させ、一時停止して待機する。
【００３５】
一方、画像形成部５は４色のトナー像を順次重ねて転写ベルト１１に一次転写する。転写ベルト１１上の４色重なったトナー像の先端が、二次転写部に搬送されてくるタイミングに合わせて、用紙２９の印刷開始位置が二次転写部に届くように、待機搬送ローラ対３４が回転を開始して用紙２９を送り出す。
【００３６】
二字転写部で、トナー像を転写された用紙２９は、ベルト式定着ユニット９に搬入される。用紙２９は熱定着ローラ３７と熱定着ローラ３７に定着ベルト３８を介して圧接する押圧ローラ３９とで挟持され上方へ搬送されながらトナー像を熱と圧力で紙面に定着される。
【００３７】
トナー画像を定着された用紙２９は、搬出ローラ対４１によりベルト式定着ユニット９から搬出され、搬送方向切替装置４２により横搬出路４４方向に搬送を切り換えられ、排紙ローラ対４５により、印刷ユニット２の最上部に形成されている排紙トレイ４６上に排紙される。
【００３８】
上記は印刷ユニット２がページプリンタとして枚葉紙の用紙２９に印刷する場合を例にとって説明したが、図１に示す印刷システム１の印刷ユニット２として動作するときは、供給ユニット３から、先ず、ロール体のロール紙（被記録媒体）４７の巻取り開始先端部４７ａが引き出される。
【００３９】
ここで、供給ユニット３の構成について説明する。供給ユニット３の筐体４８の右方の約１／２は巻取ユニット４の設置台になっており、残る左約１／２の内部に、手前方向に引き出し可能な内部フレーム４９を備えている。
【００４０】
内部フレーム４９には、巻出部５１、テンションローラ５２、用紙センサ５３、ガイドローラ５４、ロール紙幅規制部５５、中間搬送ローラ５６、用紙マーク読取センサ５７、オートカッター５８、本体進入搬送ローラ５９等が設けられている。
【００４１】
巻出部５１は、支持板６１を備え、支持板６１は、中央近傍において図の手前方向に突設された巻芯軸受６２を支持し、右方下端部に上述したテンションローラ５２を支持している。
【００４２】
巻芯軸受６２には、上述したロール体のロール紙４７の巻芯６３が嵌合し、これにより、ロール体のロール紙４７は、巻芯６３、巻芯軸受６２を介して支持板６１に支持されている。
【００４３】
ロール紙４７は、長尺の剥離紙としての台紙に裏糊付きの長尺のラベル用紙を重ね合わせて形成されており、その終端が巻芯６３に固定された状態で巻芯６３にローラ状に巻回されている。
【００４４】
なお、以下の説明では巻芯６３に被記録媒体がローラ状に巻回されているロール体のものを「ロール体４７」といい、ロール体４７から引き出された帯状体のものを「ロール紙４７」と同一番号で呼称を変えることにする。
【００４５】
図１において、段取り作業者によってロール体４７から引き出されたロール紙４７の巻取り開始先端部４７ａは、内部搬送路６４に沿って上述したテンションローラ５２から本体進入搬送ローラ５９までの各部を通紙され印刷ユニット２の下部搬入口６５から印刷ユニット２内に差し込まれる。
【００４６】
印刷ユニット２の下部搬入口６５から下流（上方）には搬入搬送路６６が形成されており、搬入搬送路６６は前述した縦搬送路４３に合流している。この合流点と下部搬入口６５との中間に搬入ローラ対６７が配設されている。
【００４７】
印刷ユニット２内に差し込まれたロール紙４７の巻取り開始先端部４７ａは、搬入搬送路６６に沿って搬入ローラ対６７に通紙され、縦搬送路４３に合流し、更に、待機搬送ローラ対３４、駆動ローラ２１と二次転写ローラ２３が対向する二次転写部、ベルト式定着ユニット９、及び搬出ローラ対４１に通紙される。
【００４８】
その後、巻取り開始先端部４７ａは、搬送方向切替装置４２により搬送路方向を縦搬出路６８に切り換えられ、搬出ガイド部６９に通紙され、巻取ユニット４まで引き出され、巻取ユニット４の駆動軸に片持支持された円筒体のシャフト７１に外嵌して固定されている巻芯７２に固定されるまでが、段取り作業者によって行われる。
【００４９】
図２(a),(b)は上記の印刷システム１の全体構成の外観斜視図であり、図２(a)はロール紙４７が印刷ユニット２に供給される前の状態を示す図、図２(b)はロール紙４７の巻取り開始先端部４７ａが印刷ユニット２に通紙され、その巻取り開始先端部４７ａが巻取ユニット２の巻芯７２に固定された状態を示す図である。
【００５０】
なお、図２(a)には、供給ユニット３の左方の前扉を一部切り欠いて、図１に示した内部の巻出部５１に保持されている巻芯軸受６２、巻芯６３、ロール体のロール紙４７等を示している。
【００５１】
また、図２(a)には、巻取ユニット４の巻芯軸受駆動部７３、駆動軸７４、長ネジ棒用ノブ７５、図１にも示したシャフト７１、巻芯７２を示している。
【００５２】
図２(b)は、図１で説明したようにロール紙４７の巻取り開始先端部４７ａが巻出部５１から引き出されて、下部搬入口６５から印刷ユニット２内の各部に通紙され、搬出ガイド部６９を通って、その先端部の中央を巻芯７２に固定され、巻き取りが開始された状態を示している。
【００５３】
ところで、図１及び図２(a),(b)に示した印刷システム１は、印刷システム１の基本となる動作全体を説明したものであり、巻取ユニット４の巻芯保持部を構成する駆動軸７４、シャフト７１、長ネジ棒用ノブ７５の細部の構成と、巻芯７２との係合状態を省略して示している。
【００５４】
図３(a)は巻芯保持部７６の外観斜視図であり、図３(b)は巻芯保持部７６のシャフト７１に設定される直前の巻芯７２と、この巻芯７２の両端部に設定される本発明の鍔（輪円体）１００（１００ａ，１００ｂ）を、巻芯保持部７６と共に示す図である。
【００５５】
図３(a)に示すように、巻芯保持部７６は、後端部の支持軸７７、支持軸７７の先端に片持ち支持される円筒状のシャフト７１を備えている。支持軸７７の軸周面には、図２に示した駆動軸７４の係合孔に嵌入して駆動軸７４に固定されるための複数の回転止め穴７８が形成されている。
【００５６】
また、シャフト７１の自由端（非駆動軸側）には、図２(a),(b)に示した長ネジ棒用ノブ７５が軸受７９を介して取り付けられている。そして、シャフト７１の円周面には、図では突出して示されている３個の拡縮部材（ラグ）８１（１個は隠れて見えない）が設けられている。
【００５７】
これら３個の拡縮部材８１に対応して、シャフト７１の円周面には、円周の軸方向に長く円周方向に幅狭に形成され、その円周方向に等間隔で３個の長孔８２（１個は隠れて見えない）が形成されている。
【００５８】
３個の拡縮部材８１は、それぞれ長孔８２に嵌入し、シャフト７１の円周面に対し軸方向と円周方向の移動を禁止され、内外方向にのみ進退（拡縮）が可能なように構成されている。なお、図３(b)に示す本発明の２個の鍔（輪円体）１００（１００ａ、１００ｂ）は、巻芯７２と共にシャフト７１に外嵌して固定される。
【００５９】
図４(a)は、シャフト７１への２個の鍔（輪円体）１００（１００ａ、１００ｂ）と巻芯７２の嵌め込み順を示す側面図であり、図４(b)は、鍔（輪円体）１００（１００ａ、１００ｂ）の詳細な構成を巻芯７２と共に示す図、図４(c)は図４(a)の嵌め込み途中にある図のＢ−Ｂ´矢視図である。
【００６０】
図４(a)に示すように、シャフト７１へ先ず巻芯後端部用の鍔（輪円体）１００ａが矢印ｃで示すように嵌め込まれ、次に巻芯７２が矢印ｄで示すように嵌め込まれ、最後に巻芯前面部用の鍔（輪円体）１００ｂが矢印ｅで示すようにはめ込まれる。
【００６１】
なお。図４(a)、図４(c)には、拡縮部材８１を図示する便宜上、拡縮部材８１がシャフト７１の円周面から外部に進出（拡出）しているように示しているが、実際に巻芯７２をシャフト７１に嵌め込むときは拡縮部材８１はシャフト７１の円周面に対し面一に縮退している。
【００６２】
図４(b),(c)に示す（図４(a)も参照）鍔（輪円体）１００（１００ａ、１００ｂ）の記録媒体の巻取りをガイドする平面部を持つ円盤状の板状部材８３（８３ａ、８３ｂ）において、孔部が設けられその中心孔の内周８４は、板状部材８３がシャフト７１と同軸でシャフト７１の外周面に緩やかに外嵌するように形成されている。この中心孔の内周８４に、等間隔で根元を固定された複数（本例では３個）の板バネ部材（取付足）８５が設けられている。なお、板状部材８３（８３ａ、８３ｂ）の外周が円形の場合を示しているが、床面においた場合の転がり防止や軽量化等の目的で一部を切り欠いたり、全体を多角形にするなどは巻取り性能に影響しない範囲で形状変更しても良い。
【００６３】
これらの板バネ部材（取付足）８５は、中心孔の内周８４近傍から、それぞれの根元から突き込み方向に谷曲げ山曲げの複数の曲げ部を形成されて延び出している。また、中心孔の内周８４には、板バネ部材８５の根元と根元の中間となる部分に切り欠き部８６が形成されている。
【００６４】
この切り欠き部８６は、図４(a)にように鍔１００がシャフト７１に自由端側から嵌め込まれていくとき、中心孔の内周８４が拡縮部材８１に接触しないよう、拡縮部材８１に対する逃げ部を形成している。つまり、孔部は板状部材８３の中心軸をシャフト７１と同軸にする形状と、拡縮部材８１に干渉せずにシャフト７１を貫通させることが可能な切り欠き部８６の形状の特徴をあわせ持つ形状である。
【００６５】
これにより、鍔１００は、拡縮部材８１の拡出によりシャフト７１の円周面に固定された巻芯７２の両端部の端面に対し、巻芯７２の端部からはみ出して露出する拡縮部材８１との接触を切り欠き部８６により逃げながら板状部材８３の記録媒体の巻取りをガイドする平面部を当接させることができ、同時に、シャフト７１の外周と巻芯７２の内周との間に形成されている間隙に板バネ部材（取付足）８５を突き入れることができる。この時、板バネ部材８５（取付足）の先端部および根元部はシャフト７１に傷を付けたり、引っ掛かりが起こらないようにR付きの曲げ部で接する形状とし、板バネ部材８５の中央部は巻芯７２の内周を傷を付けたり、引っ掛かりが起こらないように前記Rよりさらに大きいR付きの曲げ部で接する形状としている。
【００６６】
図５(a)は、シャフト７１に対する鍔１００と巻芯７２の外嵌と固定が完了した状態の巻芯保持部７６の側断面図であり、図５(b)は、シャフト７１を取り除いて、その内部の構成を示す斜視図、図５(c)はその構成と共にシャフト７１を仮想線で添えて示す側面図である。
【００６７】
なお、図５(a),(b),(c)には、図３又は図４に示した構成と同一の構成部分には図３又は図４と同一の番号を付与して示している。図５(a),(c)に示すように、円筒状のシャフト７１は、支持軸７７の先端部の支持部を兼ねる軸受８７に片持ち支持されている。
【００６８】
そして、シャフト７１の内部には、図５(a),(b),(c)に示すように、２個のナット状カム８８が配設されている。ナット状カム８８は、長溝穴８９を有し、長溝穴８９は溝底面９１が溝方向に傾斜すると共に、溝底面９１の両側は長溝穴８９の側面９２に対し直角に切り込まれた形状の張出部９３を形成している。
【００６９】
換言すれば、長溝穴８９は断面がＴ字形のメス穴の斜面カムを形成している。この長溝穴８９に、拡縮部材８１の底部に形成された２個の傾斜カム９４が嵌入している。傾斜カム９４は、長溝穴８９のメス穴と断面が同形状のオス型凸状部を形成している。
【００７０】
また、２個のナット状カム８８の中心部にはそれぞれメネジ孔が切られており、このメネジ孔に長ネジ棒９５が螺合してナット状カム８８を貫通している。長ネジ棒９５の前端部には長ネジ棒用ノブ７５が固定され、後端部は支持部を兼ねる軸受８７に回転可能に支持されている。
【００７１】
前述したように拡縮部材８１が長孔８２によりシャフト７１に対し軸方向と円周方向の移動を禁止されている。そして、ナット状カム８８は長溝穴８９と傾斜カム９４を介して拡縮部材８１と係合しているので、ナット状カム８８はシャフト７１に対して回転を禁止されている。
【００７２】
しかし、長溝穴８９が傾斜カム９４に対して滑動できる構成であるので、ナット状カム８８はシャフト７１に対して軸方向には移動できる構成となっている。
【００７３】
したがって、作業者が長ネジ棒用ノブ７５を指で抓んで第１の回転方向に廻すと、ナット状カム８８は図５(a)の矢印ｆ方向に移動する。この移動では、長溝穴８９の溝底面９１の傾斜面が傾斜カム９４の傾斜面に摺接して傾斜カム９４を、つまり拡縮部材８１をシャフト７１の周面から拡出させる。
【００７４】
この拡縮部材８１（ラグ）の拡出により、シャフト７１に外嵌した巻芯７２の内周面が拡縮部材８１により押圧され、シャフト７１の外周面と巻芯７２の内周面との間に均等な間隙が形成されると共に巻芯７２をシャフト７１に固定される。
【００７５】
シャフト７１の円周面に固定された巻芯７２に対し、前述したように、鍔１００は板状部材８３の記録媒体の巻取りをガイドする平面部を巻芯７２の両端部の端面に当接させると共にシャフト７１の外周と巻芯７２の内周との間に形成されている間隙に板バネ部材（取付足）８５を突き入れている。
【００７６】
この状態で、板バネ部材８５は、シャフト７１の外周と巻芯７２の内周の両方から押圧されて、図５(a)に示す曲げ厚ｇが、図３(b)、図４(b)に示す自由状態のときの曲げ厚よりも薄くなり、これに対応して図５(a)に示す長さｈが自由状態のときの長さよりも伸びている。
【００７７】
この板バネ部材８５の復元力により、板バネ部材８５の谷曲げ山曲げの複数の曲げ部が曲げ厚ｇを元に戻す（より厚くする）ように機能し、これにより、板バネ部材８５とシャフト７１の外周及び巻芯７２の内周との間に摩擦力を生じ、鍔１００が巻芯７２の両端部に固定される。
【００７８】
このように、巻芯７２の長さに応じて巻芯７２の両端部に自在に固定される鍔１００により、巻芯７２に巻き取られるロール紙４７の幅方向の両縁を段差の出来ないように揃えるよう規制することができる。
【００７９】
なお、ロール紙（被記録媒体）４７を巻取り終わった巻芯７２をシャフト７１から引き抜くとき、または、新規の巻芯７２をシャフト７１に嵌め込むときは、作業者は長ネジ棒用ノブ７５を指で抓んで第２の回転方向に廻す。
【００８０】
これにより、ナット状カム８８は図５(a)の矢印ｋ方向に移動する。この移動では、長溝穴８９の溝底面９１の傾斜面が傾斜カム９４の傾斜面に対し、ずれ出るように摺接して傾斜カム９４つまり拡縮部材８１を、シャフト７１の周面から縮退させる。
【００８１】
図６(a)はシャフト７１の周面に対し拡縮部材８１が面一に縮退した状態の巻芯保持部７６を示す斜視図であり、図６(b)はシャフト７１を取り除いて、その内部の構成を示す斜視図、図６(c)はその構成と共にシャフト７１を仮想線で添えて示す側面図である。
【００８２】
なお、図６(a),(b),(c)に示す状態に至る動作については図５(a)の矢印ｋで説明した通りであり、図６(a),(b),(c)には、図３(a)及び図５(b),(c)に示した構成と同一部分に図
３(a)及び図５(b),(c)と同一の番号を付与して示すにとどめ、説明は省略する。
【００８３】
図７(a),(b)は、上記の巻芯保持部７６の構成において、拡縮部材８１の変形例を示したのである。なお、図７(a),(b)には、図４(b)及び図６(a),(b),(c)と同一の構成部分には図４(b)及び図６(a),(b),(c)と同一の番号を付与して示している。
【００８４】
図７(a),(b)に示すように、この変形例では、いままで１個であったの拡縮部材８１を前後で２個の拡縮部材８１ａ、８１ｂに分割し、それぞれに、１個の拡縮部材８１に形成されていた２個の傾斜カム９４を１個ごと割り当てている。
【００８５】
２個の傾斜カム９４と長ネジ棒９５により前後（図の左右）に駆動される２個のナット状カム８８との係合関係及び被駆動形態は、図６までに述べた形態と同様であり、いままで合計３個の拡縮部材８１が拡縮することに代わって合計６個の拡縮部材（８１ａ×３個＋８１ｂ×３個）が同時に拡縮することが異なるだけであり、機能に変わるところはない。
【００８６】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００８７】
巻芯を緊締する拡縮部材（ラグ）を備えたシャフトに同軸で前記巻芯の端部に装着される鍔であって、
前記拡縮部材に干渉せずに前記シャフトを貫通させることが可能な孔部が設けられ、前記シャフトと同軸になるよう前記シャフトの外周面に部分的に勘合する板状部材と、
前記シャフトの外周面と前記巻芯の円筒内周面との間に弾性的に介挿する複数の取付足と、
を有することを特徴とする鍔。
[付記２]
【００８８】
前記複数の取付足のそれぞれは、該鍔が前記シャフトに緊締された巻芯の端部に装着されたときに該取付足の先端側および根元側が曲げＲの面で前記シャフトの外周面に接するように形成され且つ該取付足の中央部が前記曲げＲの曲げ半径より大きな曲げＲの面で前記巻芯の円筒内周面に接するように形成された板バネであり、前記シャフトと前記巻芯との間隙に収装可能に構成されていることを特徴とする付記１に記載の鍔。
[付記３]
【００８９】
被記録媒体に印刷を行う印刷ユニットと、該印刷ユニットに被記録媒体を供給する供給ユニットと、前記印刷ユニットにより印刷されて排出される被記録媒体を巻き取る巻取ユニットと、を備え、
前記巻取ユニットのシャフトに拡縮部材により緊締された巻芯の端部に、付記１又は２に記載の鍔が装着されている、ことを特徴とする印刷システム。
[付記４]
【００９０】
中心孔の内周に根元を固定され該根元から突き込み方向に谷曲げ山曲げの複数の曲げ部を形成されて延び出す複数の板バネ部材と、
該板バネ部材の前記根元と前記根元の中間部において前記中心孔の内周に形成された切り欠き部と、
を有することを特徴とする輪円体。
[付記５]
【００９１】
駆動軸に片持支持された円筒状のシャフトと、
該シャフトの円周面に、軸方向に長く円周方向に幅狭で形成された複数の長孔と、
該長孔に嵌入し、前記シャフトの外内方向に進退可能な拡縮部材と、
を有し、
前記拡縮部材の進出により前記シャフトに外嵌した巻芯の内周面を押圧し、前記シャフトの外周面と前記巻芯の内周面との間に間隙を形成して前記巻芯を前記シャフトに固定する巻芯保持部において、
前記シャフトの前記外周面に進出し前記巻芯の端部からはみ出して露出する前記拡縮部材との接触を前記切り欠き部により逃げながら、前記中心孔の内周を前記シャフトの外周に外嵌させ前記中心孔の内周縁部内面を前記巻芯の端面に当接させ且つ前記板バネ部材を前記間隙に突き込んで、前記板バネ部材の前記複数の曲げ部と前記シャフトの外周と前記巻芯の内周との間の摩擦力により前記巻芯の両端部に固定され、前記巻芯に巻き取られる巻取りロール紙の幅方向の両縁を段差の出来ないように揃えるよう規制する、
ことを特徴とする付記４記載の輪円体。
【符号の説明】
【００９２】
１・・・印刷システム、２・・・印刷ユニット、３・・・供給ユニット、４・・・巻取ユニット、４７・・・ロール紙（ロール体、被記録媒体）、４７ａ・・・先端部、５１・・・巻出部、６９・・・搬出ガイド部（排出部）、７１・・・シャフト、７２・・・巻芯、７３・・・巻芯軸受駆動部、７４・・・駆動軸、７５・・・長ネジ棒用ノブ、７６・・・巻芯保持部、７７・・・支持軸、７８・・・回転止め穴、７９・・・軸受、８１・・・拡縮部材（ラグ）、８２・・・長孔、８３（８３ａ、８３ｂ）・・・板状部材、８４・・・内周、８５・・・板バネ部材（取付足）、８６・・・切り欠き部、８７・・・軸受、８８・・・ナット状カム、８９・・・長溝穴、９１・・・溝底面、９２・・・側面、９３・・・張出部、９４・・・傾斜カム、９５・・・長ネジ棒１００（１００ａ、１００ｂ）・・・鍔（輪円体）
【図１】
0006472077.tif 000002
【図２】
0006472077.tif 000003
【図３】
0006472077.tif 000004
【図４】
0006472077.tif 000005
【図５】
0006472077.tif 000006
【図６】
0006472077.tif 000007
【図７】
0006472077.tif 000008